(57)【特許請求の範囲】
【請求項１】
Ｖ型機関を構成する各気筒に連なる複数の吸気管１Ａ，１Ｂが垂直線Ａ−Ａの両側方にあって且つ垂直線Ａ−Ａに対して交差して配置され、各吸気管１Ａ，１Ｂに形成される燃料噴射弁先端支持孔２Ａ，２Ｃの長手軸芯線Ｂ−Ｂは、垂直線Ａ−Ａに対してＸ度傾斜して穿設され、
前記燃料噴射弁先端支持孔２Ａ，２Ｃの大気側の開口端部２Ｂ，２Ｄに、軸芯線Ｂ−Ｂに対して前記Ｘ度以上の角度Ｙ度をもって傾斜する円錐支持孔２Ｅを設け、
燃料噴射弁Ｊの先端Ｊｂに、その外側面が円錐支持孔２Ｅに沿う傾斜面５Ａを有する円錐シールリング５を配置し、
その後端Ｊａが単一の燃料分配管３に挿入配置される前記燃料噴射弁Ｊ１，Ｊ２を垂直線Ａ−Ａに沿って移動させることにより、その先端Ｊｂを円錐シールリング５を介して各燃料噴射弁先端支持孔２Ｅ内に挿入配置し、各燃料噴射弁Ｊ１，Ｊ２を、燃料分配管３と吸気管１との間に挟持するとともに燃料噴射弁Ｊ１，Ｊ２を燃料噴射弁先端支持孔２Ａ，２Ｃの長手軸芯線Ｂ−Ｂに沿って配置してなるＶ型機関用燃料噴射装置における燃料噴射弁取付け装置。
【発明の詳細な説明】
【０００１】
【産業上の利用分野】
本発明は、燃料ポンプによって昇圧された燃料を燃料分配管に供給し、燃料分配管内の昇圧された燃料を、燃料分配管に取着された燃料噴射弁を介して気筒に連なる吸気管に向けて噴射供給する燃料噴射装置に関し、そのうち特にＶ型機関における燃料噴射弁取付け装置に関する。
【０００２】
【従来の技術】
従来、燃料噴射装置において、吸気管あるいはスロットルボデーに燃料噴射弁を取付ける際、図３，図４に示される如く行なわれる。
２０は内部を吸気路２１が貫通するスロットルボデーであって、吸気路２１の長手軸芯線は垂直線Ｅ−Ｅ上に形成される。（基準線を垂直線Ｅ−Ｅと仮定した）２２は燃料噴射弁先端支持孔であって、その長手軸芯線Ｇ−Ｇは、前記垂直線Ｅ−Ｅに角度Ｈをもって交差して形成される。
そして、前記燃料噴射弁先端支持孔２２の大気側の開口端部２２Ａには前記支持孔２２より大径の円筒支持孔２２Ｂが連設されるもので、燃料噴射弁先端支持孔２２及び円筒支持孔２２Ｂは共に円筒形状をなし長手軸芯線Ｇ−Ｇに同芯に形成される。
又、前記円筒支持孔２２Ｂ内には弾性材料によって形成されるリング状シールリング２３が配置される。
Ｊは燃料噴射弁であって、その後端はクッション部材２４を介して燃料分配管Ｆ内に挿入支持され、内部の燃料流路Ｆａと連絡される。
そして、前述した後端に燃料分配管Ｆが装着された燃料噴射弁Ｊは、その長手軸芯線Ｋ−Ｋが燃料噴射弁先端支持孔２２の長手軸芯線Ｇ−Ｇ上に配置され、かかる状態において燃料噴射弁Ｊは長手軸芯線Ｇ−Ｇに沿って燃料噴射弁支持孔２２内に向けて挿入され、挿入後において燃料分配管Ｆは例えばスロットルボデー２０にネジ等によって固定される。
以上によると、燃料噴射弁Ｊは、その先端及び後端においてスロットルボデー２０と燃料分配管Ｆとにより挟持されて固定され、その先端近傍の円筒部はリング状シールリング２３によって弾性的にシール支持される。
すなわち、燃料噴射弁Ｊの長手軸芯線Ｋ−Ｋと、燃料噴射弁先端支持孔２２の長手軸芯線Ｇ−Ｇとは、同一線上に配置される。
燃料噴射弁Ｊが燃料分配管Ｆとスロットルボデー２０によって挟持されその後端が円筒シールリング２３にて弾性的にシール支持された状態は図４に示される。
【０００３】
【発明が解決しようとする課題】
かかる従来の燃料噴射弁取付け装置によると、直列多気筒機関の如く、吸気路２１が側方に複数配置されるとともに各吸気路２１の長手軸芯線Ｅ−Ｅ及び燃料噴射弁先端支持孔２２の長手軸芯線Ｇ−Ｇが共に同一方向に向かうものにあっては製造上有効である。
すなわち、複数の燃料噴射弁Ｊの後端は、単一の燃料分配管Ｆに挿入配置され、各燃料噴射弁Ｊの長手軸芯線Ｋ−Ｋと各燃料噴射弁先端支持孔２２の長手軸芯線Ｇ−Ｇとは各々同一線上に配置され、かかる状態において、全ての燃料噴射弁Ｊを前記長手軸芯線に沿って移動させることにより全ての燃料噴射弁先端支持孔２２内に同時に挿入配置できるからである。
【０００４】
然しながら、従来の燃料噴射弁取付け装置をＶ型機関の燃料噴射弁取付け装置として用いることは製造上好ましいことでない。
すなわちＶ型機関にあっては後述するように各気筒に連なる吸気管は左右に交差するよう配置され、一方の吸気管に形成される燃料噴射弁先端支持孔の長手軸芯線と他方の吸気管に形成される燃料噴射弁先端支持孔の長手軸芯線とは同一方向に配置されるものでなく、互いに交差するよう配置される。
以上によれば、前記各燃料噴射弁先端支持孔内へ挿入する燃料噴射弁の挿入方向をＹ方向より挿入できるものでなく、燃料噴射弁の燃料噴射弁先端支持孔内への挿入作業は極めて困難となる。
【０００５】
本発明は、前記不具合に鑑み成されたもので、Ｖ型機関において、各燃料噴射弁を各吸気管の燃料噴射弁先端支持孔へ極めて容易に装着することができるＶ型機関用燃料噴射装置における燃料噴射弁取付け装置を提供することを目的とする。
【０００６】
【課題を達成する為の手段】
本発明になるＶ型機関用燃料噴射装置における燃料噴射弁取付け装置は、前記目的達成の為に、Ｖ型機関を構成する各気筒に連なる複数の吸気管が垂直線Ａ−Ａの両側方にあって且つ垂直線Ａ−Ａに対して交差して配置され、各吸気管に形成される燃料噴射弁先端支持孔の長手軸芯線Ｂ−Ｂは、垂直線Ａ−Ａに対してＸ度傾斜して穿設され、
前記燃料噴射弁先端支持孔の大気側の開口端部に、軸芯線Ｂ−Ｂに対して前記Ｘ度以上の角度Ｙ度をもって傾斜する円錐支持孔を設け、
燃料噴射弁の先端に、その外側面が円錐支持孔に沿う傾斜面を有する円錐シールリングを配置し、
その後端が単一の燃料分配管に挿入配置される前記燃料噴射弁を垂直線Ａ−Ａに沿って移動させることにより、その先端を円錐シールリングを介して各燃料噴射弁先端支持孔内に挿入配置し、各燃料噴射弁を、燃料分配管と吸気管との間に挟持するとともに燃料噴射弁を燃料噴射弁先端支持孔の長手軸芯線Ｂ−Ｂに沿って配置したことを特徴とする。
【０００７】
【作用】
以上によれば、それぞれの吸気管に向かう各々の燃料噴射弁の後端は、単一の燃料分配管に挿入配置され、かかる状態にある燃料噴射弁を垂直線Ａ−Ａに沿って吸気管に向けて移動させることにより同時に各燃料噴射弁を各吸気管に穿設せる各燃料噴射弁先端支持孔内へ挿入配置できる。
【０００８】
【実施例】
以下、本発明になるＶ型機関用燃料噴射装置における燃料噴射弁取付け装置の一実施例について図１，図２により説明する。
１はＶ型機関の各気筒に連なる吸気管であり、垂直線Ａ−Ａの両側方に第１の吸気管１Ａ、第２の吸気管１Ｂが対称配置され、かかる吸気管１Ａ，１Ｂは垂直線Ａ−Ａに対して交差して配置される。
第１の吸気管１ＡはＶ型機関を構成する第１気筒Ｗ１に連絡され、第２の吸気管１Ｂは第２気筒に連絡される。
【０００９】
吸気管１には燃料噴射弁先端支持孔２が穿設される。
第１の吸気管１Ａには第１の燃料噴射弁先端支持孔２Ａ（以下単に第１の支持孔２Ａという）が穿設されるもので、この第１の支持孔２Ａの長手軸芯線Ｂ１−Ｂ１は垂直線Ａ−Ａに対してＸ度傾斜する。第１の支持孔２Ａの上方の開口端部２Ｂは大気に開口し、下方は第１の吸気管１Ａ内に開口する。
第２の吸気管１Ｂには第２の燃料噴射弁先端支持孔２Ｃ（以下単に第２の支持孔２Ｃという）が穿設されるもので、この第２の支持孔２Ｃの長手軸芯線Ｂ２−Ｂ２は垂直線Ａ−Ａに対してＸ度傾斜する。第２の支持孔２Ｃの上方の開口端部２Ｄは大気に開口し、下方は第２の吸気管１Ｂ内に開口する。
すなわち、第１の支持孔２Ａ、第２の支持孔２Ｃは垂直線Ａ−Ａに対して対称位置にあってＸ度傾斜して形成される。
【００１０】
Ｊは第１の吸気管１Ａ、第２の吸気管１Ｂに向かって配置される燃料噴射弁であり、第１の燃料噴射弁Ｊ１は第１の吸気管１Ａに向かい、第２の燃料噴射弁Ｊ２は第２の吸気管１Ｂに向かう。
第１の燃料噴射弁Ｊ１は、第１の支持孔２Ａの長手軸芯線Ｂ１−Ｂ１と平行に配置され、その後端Ｊａは単一の燃料分配管３にクッション部材４を介して挿入配置され、燃料分配管３内の燃料流路３Ａと連絡される。
この燃料流路３Ａには、燃料ポンプ（図示せず）によって昇圧された燃料が供給される。
第２の燃料噴射弁Ｊ２は、第２の支持孔２Ｃの長手軸芯線Ｂ２−Ｂ２と平行に配置され、その後端Ｊａは単一の燃料分配管３にクッション部材４を介して挿入配置され、燃料分配管３内の燃料流路３Ａと連絡される。
以上によれば単一の燃料分配管３に第１の燃料噴射弁Ｊ１と第２の燃料噴射弁Ｊ２とが取着されたもので、前述の如く第１の燃料噴射弁Ｊ１は第１の支持孔２Ａの長手軸芯線Ｂ１−Ｂ１と平行に配置され、第２の燃料噴射弁Ｊ２は第２の支持孔２Ｂの長手軸芯線Ｂ２−Ｂ２と平行に配置される。
【００１１】
そして、第１の支持孔２Ａの開口端部２Ｂには円錐支持孔２Ｅが形成される。この円錐支持孔２Ｅは、第１の支持孔２Ａの長手軸芯線Ｂ１−Ｂ１に対してＹ度傾斜する傾斜面であり、前記角度Ｙ度は前記角度Ｘ度以上の角度をなす。
角度Ｙ度と角度Ｘ度は等しくともよい。
（角度Ｘ度は、第１の支持孔２Ａの長手軸芯線Ｂ１−Ｂ１が垂直線Ａ−Ａに交差する角度である。）
又、第２の支持孔２Ｃの開口端部２Ｄには前記と同様なる円錐支持孔２Ｅが形成される。この円錐支持孔２Ｅは、第２の支持孔２Ｃの長手軸芯線Ｂ２−Ｂ２に対してＹ度傾斜する傾斜面であり、前記角度Ｙ度は前記角度Ｘ度以上の角度をなす。
【００１２】
５は燃料噴射弁Ｊの円筒状の先端Ｊｂの外周に装着されるリング状をなす円錐シールリングであり、その外側面は、円錐支持孔２Ｅの傾斜部に沿う傾斜面５Ａを成すもので、例えばゴム材料等の弾性材料にて形成される。
そして、前記円錐シールリング５は、燃料分配管３に第１の燃料噴射弁Ｊ１及び第２の燃料噴射弁Ｊ２が装着された状態において、各燃料噴射弁Ｊ１，Ｊ２の先端Ｊｂの外周に装着される。
この状態は図１に示される。
【００１３】
そして、燃料分配管３、燃料噴射弁Ｊ、吸気管１は以下によって組付けられる。第１に、燃料分配管３に対して第１の燃料噴射弁Ｊ１及び第２の燃料噴射弁Ｊ２の後端Ｊａをクッション部材４を介して装着する。
このとき第１の燃料噴射弁Ｊ１は、吸気管１の第１の支持孔２Ａの長手軸芯線Ｂ１−Ｂ１と平行に配置される。
又、第２の燃料噴射弁Ｊ２は、第２の支持孔２Ｃの長手軸芯線Ｂ２−Ｂ２と平行に配置される。
更に、各燃料噴射弁Ｊ１，Ｊ２の先端Ｊｂの外周に円錐シールリング５が装着される。
以上の如く、燃料分配管３に第１，第２の燃料噴射弁Ｊ１，Ｊ２が装着された状態は図１に示されるもので、この状態において吸気管１とは離れて配置される。
【００１４】
第２には、図１に示される如く、燃料噴射弁Ｊ１，Ｊ２を備えた燃料分配管３が垂直線Ａ−Ａ上に配置され、この状態から燃料分配管３が垂直線Ａ−Ａに沿って下方へ移動される。
以上によると、第１の燃料噴射弁Ｊ１の円錐シールリング５は第１の支持孔２Ａの円錐支持孔２Ｅ内に挿入して配置され、第２の燃料噴射弁Ｊ２の円錐シールリング５は第２の支持孔２Ｃの円錐支持孔２Ｅ内に挿入して配置される。そして、かかる状態において燃料分配管３が吸気管１にステー等を介してネジ締め固定される。（尚ステー、ネジは図示されない）
以上述べた如く、各燃料噴射弁Ｊ１，Ｊ２を含む燃料分配管３を垂直線Ａ−Ａに沿って下方へ移動することによって各燃料噴射弁Ｊ１，Ｊ２の先端Ｊｂを各支持孔２Ａ，２Ｃ内に配置できるのは、
（１）第１の支持孔２Ａの長手軸芯線Ｂ１−Ｂ１、第２の支持孔２Ｃの長手軸芯線Ｂ２−Ｂ２を垂直線Ａ−Ａに対して対称に、且つＸ度をもって交差配置したこと。
（２）各支持孔２Ａ，２Ｃの開口部２Ｂ，２Ｄに、Ｘ度以上の角度Ｙ度を有する円錐支持孔２Ｅを形成したこと。
（３）第１の燃料噴射弁Ｊ１を第１の支持孔２Ａの長手軸芯線Ｂ１−Ｂ１に平行に配置し、その先端Ｊｂに円錐支持孔２Ｅに沿う傾斜面５Ａを備える円錐シールリング５を配置したこと。
（４）第２の燃料噴射弁Ｊ２を第２の支持孔２Ｃの長手軸芯線Ｂ２−Ｂ２に平行に配置し、その先端Ｊｂに円錐支持孔２Ｅに沿う傾斜面５Ａを備える円錐シールリング５を配置したこと。
によるものである。
吸気管１に燃料噴射弁Ｊ１，Ｊ２を含む燃料分配管３が装着された状態は図２に示される。
尚、本実施例は燃料噴射弁Ｊ１，Ｊ２が同一断面上に配置されるが異なった断面上にあっても実施することができる。
又、第１，第２の支持孔２Ａ，２Ｃの長手軸線Ｂ１−Ｂ１、Ｂ２−Ｂ２の垂直線Ａ−Ａに対する交差角度Ｘ度が互いに相違しても実施することができる。
更に燃料噴射弁Ｊの数についても本実施例の２本に限定されない。
【００１５】
【発明の効果】
以上の如く、本発明になる燃料噴射弁取付け装置によると、Ｖ型機関を構成する各気筒に連なる複数の吸気管が垂直線Ａ−Ａの両側方にあって且つ垂直線Ａ−Ａに対して交差して配置され、各吸気管に形成される燃料噴射弁先端支持孔の長手軸芯線Ｂ−Ｂは、垂直線Ａ−Ａに対してＸ度傾斜して穿設され、
前記燃料噴射弁先端支持孔の大気側の開口端部に、軸芯線Ｂ−Ｂに対して前記Ｘ度以上の角度Ｙ度をもって傾斜する円錐支持孔を設け、
燃料噴射弁の先端に、その外側面が円錐支持孔に沿う傾斜面を有する円錐シールリングを配置したので、
複数の燃料噴射弁を備えた燃料分配管を、単に垂直線Ａ−Ａに沿って吸気管に向けて移動すればＶ型機関に連なる吸気管の各支持孔に極めて簡単に燃料噴射弁を取付けることができ、製造上有効なものである。
【図面の簡単な説明】
【図１】本発明になるＶ型機関用燃料噴射装置における燃料噴射弁取付け装置の一実施例を示す要部縦断面図であり、燃料分配管に各燃料噴射弁を装着した状態を示す。
【図２】図１において燃料分配管を含む燃料噴射弁が吸気管に取付けられた状態を示す要部縦断面図。
【図３】従来の燃料噴射弁取付け装置において燃料分配管に燃料噴射弁が装着された状態を示す要部縦断面図。
【図４】図３において燃料分配管を含む燃料噴射弁が吸気管に取付けられた状態を示す要部縦断面図。
【符号の説明】
１Ａ，１Ｂ      吸気管
２Ａ，２Ｃ      燃料噴射弁先端支持孔（支持孔）
２Ｂ，２Ｄ      開口端部
２Ｅ            円錐支持孔
３              燃料分配管
５              円錐シールリング
５Ａ            傾斜面
Ｊ１，Ｊ２      燃料噴射弁
【図１】
0003747272.tif 000002
【図２】
0003747272.tif 000003
【図３】
0003747272.tif 000004
【図４】
0003747272.tif 000005